(57)【要約】【課題】タッチスクリーン機能をサポートしたコンピュータＯＳシステムで実行可能なタッチスクリーン機能を疑似操作できるマウスモジュールを提供すること。【解決手段】少なくとも疑似タッチトリガキーと、タッチ信号変換ユニットと、を備え、疑似タッチトリガキーがクリックされたとき、マウスモジュールはタッチモードの実行を開始すると共に、タッチ信号変換ユニットによって、マウスモジュールのクリックされたキーの信号を捕捉し、スクリーンタッチ信号に置き換えて、電子装置のスクリーン上にて１本または複数本指のフリックタッチ機能を実行できる。マウスモジュールは固定位置座標キーをさらに有しており、係る固定位置座標キーをクリックされると、マウスモジュールはそのときに対応したスクリーンの座標位置において、疑似の指操作が実行され、移動せずにクリックした座標位置に固定し、引き続きマウスモジュール上ほかのキーをクリックすることにより作動を開始し、スクリーン画面の拡大、縮小または回転を実行できる。【選択図】図１
0003183729.tif 000002
【実用新案登録請求の範囲】
【請求項１】
１本または複数本指によるタッチ機能をサポートされたコンピュータＯＳで実行するタッチスクリーン機能を疑似操作できるマウスモジュールであって、
少なくともタッチ信号変換ユニットと、疑似タッチトリガキーと、を備え、
前記疑似タッチトリガキーをクリックされたときは、前記タッチ信号変換ユニットによって、前記マウスモジュール上のキー信号を捕捉した上、スクリーンタッチ信号に置き換えて、電子装置のスクリーン画面上にて、１本または複数本指による疑似タッチ操作機能が実行される事を特徴とする、
タッチスクリーン機能を疑似操作できるマウスモジュール
【請求項２】
前記マウスモジュールは少なくともマウス本体を含み、前記タッチ信号変換ユニットは前記マウス本体に設けられていることを特徴とする、請求項１記載のタッチスクリーン機能を疑似操作できるマウスモジュール。
【請求項３】
前記タッチ信号変換ユニットは前記電子装置に設けられていることを特徴とする、請求項１記載のタッチスクリーン機能を疑似操作できるマウスモジュール。
【請求項４】
前記タッチ信号変換ユニットはソフトウェアプログラムであることを特徴とする、請求項１記載のタッチスクリーン機能を疑似操作できるマウスモジュール。
【請求項５】
前記マウス本体は例えばタッチパネルキットであることを特徴とする、請求項１記載のタッチスクリーン機能を疑似操作できるマウスモジュール。
【請求項６】
前記マウスモジュールは前記固定位置座標を設けられていることを特徴とする、請求項１記載のタッチスクリーン機能を疑似操作できるマウスモジュール。
【請求項７】
タッチモードが前記マウスモジュールによって実行されているときは、前記固定位置座標をクリックされると、固定位置座標のタッチモードに切り換えられることを特徴とする、請求項６記載のタッチスクリーン機能を疑似操作できるマウスモジュール。
【請求項８】
タッチキーをさらに設けられ、前記タッチキーは前記マウスモジュールが疑似スクリーンタッチモードを実行するときにクリックされたキーであり、前記タッチキーは前記疑似タッチトリガキー以外のキーであることを特徴とする、請求項１記載のタッチスクリーン機能を疑似操作できるマウスモジュール。
【請求項９】
タッチキーをさらに設けられ、前記タッチキーは前記マウスモジュールが疑似スクリーンタッチモードを実行するときにクリックされたキーであり、前記タッチキーは前記疑似タッチトリガキーであることを特徴とする、請求項１記載のタッチスクリーン機能を疑似操作できるマウスモジュール。
【請求項１０】
前記タッチ信号変換ユニットは、それぞれ前記マウスモジュールの一つまたは複数キー信号を捕捉した上、タッチ点信号に置き換えて、ＯＳに１本または複数本指のタッチ機能の実行に提供することを特徴とする、請求項１記載のタッチスクリーン機能を疑似操作できるマウスモジュール。
【請求項１１】
前記マウスをもって、疑似タッチスクリーン操作に提供することを特徴とする、請求項１記載のタッチスクリーン機能を疑似操作できるマウスモジュール。
【考案の詳細な説明】
【技術分野】
【０００１】
本考案はマウスモジュールを用いる疑似のスクリーンタッチ操作に関する。
【背景技術】
【０００２】
タッチパネルは画面表示とオブジェクト指向操作（ｏｂｊｅｃｔ  ｏｒｉｅｎｔｅｄ  ｏｐｅｒａｔｉｏｎ）機能とを備え合わせたスクリーンをいう。使用者が指先、スタイラスペーンその他のツールをパネル上の任意位置に触れれば、タッチパネルが、使用者が触れた座標位置を検知して、この情報がコンピュータのオペレーティングシステム（以下、ＯＳと略する）に入力される。
【０００３】
現在のタッチパネルの検知原理は抵抗式、キャパシタンス式、超音波式、光学式に分けることができ、主な違いは異なる媒体（例えば、抵抗値、容量値、超音波または光線）を利用し、使用者がタッチした座標位置を入力する。コンピュータシステム構造全体から見ると、タッチパネルは表示目的のインタフェースであると共に、入力装置に定義することもできる。
【考案の概要】
【考案が解決しようとする課題】
【０００４】
しかし、タッチパネル技術度が成熟し、マイクロソフト社はＷＭ＿ＧＥＳＴＵＲＥジェスチャ情報など、多点タッチの機能を新世代製品Ｗｉｎｄｏｗｓ(登録商標)７  ＯＳシステムに導入している。これにより、新世代のＯＳおよびソフト開発業者も広く多点タッチ技術を応用して一連の応用ソフトを開発している。
しかし、従来の表示機能しかない表示パネルには、例えば１本指による画面のフリック操作機能またはＴＷＯ  ＦＩＮＧＥＲＳ（２本指の操作機能）などのジェスチャによる画面操作は利用できないため、使用者は前述のタッチパネルにアップグレードするかまたはタッチ機能の使用を犠牲せざるを得ない。
【０００５】
このため、高い普及率を有するマウスを利用し、いかにして前述した１本指または複数本指によるフリック操作、あるいはスクリーン画面の拡大、縮小もしくは回転に関わるタッチ機能の疑似操作を行うかが、本考案の研究する課題である。
【０００６】
本考案の一目的は、スクリーンタッチ機能をサポートしたコンピュータＯＳにおいて、マウスモジュールを用いて、タッチスクリーン機能を疑似操作できるマウスモジュールを提供することである。
【０００７】
本考案の一目的は、スクリーン画面上に１本または複数本指によるフリック操作のタッチ機能を有するマウスモジュールを提供することである。
【０００８】
本考案の一目的は、スクリーン画面上での拡大、縮小または回転のタッチ機能を有するマウスモジュールを提供することである。
【課題を解決するための手段】
【０００９】
本考案が前述の目的を達成するために採用する手段は、マウスモジュールを提供し、１本または複数本指によるタッチ機能をサポートされたコンピュータＯＳにおいて、マウスモジュールは少なくとも疑似タッチトリガキーと、タッチ信号変換ユニットと、を備える。
【００１０】
そのうち、疑似スクリーンタッチモードは、疑似タッチトリガキーによって起動される。
【００１１】
そのうち、タッチ信号変換ユニットは、マウスモジュールが疑似スクリーンタッチモードを実行するときに、マウスモジュールにクリックされたキー（タッチキー）または作動信号を捕捉した上、スクリーン画面のタッチ機能に置き換える。
【００１２】
前述の目的を達成するために使用される方法は、次のとおりである。
【００１３】
ステップ１（Ｓ１）：マウスモジュールの疑似タッチトリガキーがクリックされたかを検出し、クリックされたときは、ステップ２（Ｓ２）に進み、クリックされていないときは、マウスモジュールの基本機能を維持する。
【００１４】
ステップ２（Ｓ２）：マウスモジュールが疑似スクリーンタッチモードモードを実行する。
【００１５】
ステップ３（Ｓ３）：マウスの疑似タッチトリガキーの状態が改変（再度にクリックまたは解除）されたかを検出し、改変されたときは、マウスモジュールの基本機能に戻し、改変されていないときは、疑似スクリーンタッチモードを引き続き実行する。
【００１６】
前述した主な特徴に基づき、本考案の技術手段は、使用者が疑似タッチトリガキーを１回押すと、マウスモジュールが疑似スクリーンタッチモードを維持し、疑似タッチトリガキーが再度クリックされると、マウスモジュールは疑似スクリーンタッチモードを解除して、マウスモジュールの基本機能に戻される。
【００１７】
前述した主な特徴に基づき、本考案の技術手段は、使用者が疑似スクリーンタッチモードをクリックしタッチモードに切り換えて、疑似タッチトリガキーを引き続きクリックすることによって、タッチモードを継続的に実行できる。一方、クリックされた疑似タッチトリガキーと、タッチキーとをすべて解除されると、マウスモジュールの基本機能に復帰する。
【００１８】
前述した主な特徴に基づき、タッチモード実行のときには、マウスモジュールの一つまたは複数のキーをクリックする（マウスモジュールの左キー、右キーまたはホイール）操作することによって、すべての指先がスクリーン画面上のタッチ座標位置に置き換えられる。
同じく、その前に押された一つまたは複数のキーを押しながら、マウスモジュールを移動すると、１本または複数本指がスクリーン画面上でのフリックタッチ操作のジェスチャに置き換えられる。
【００１９】
前述した主な特徴に基づき、本考案のマウスモジュールは、タッチモード実行のときに、固定位置座標キーを用いて、マウスモジュールによるスクリーン画面の拡大、縮小または回転を実行するための固定位置座標キーをさらに設けられている。
前述した主な特徴に基づき、本考案のマウスモジュールは、マウスモジュールが疑似スクリーンタッチモードを実行するときに、マウスモジュールにクリックキーを実行するためのタッチキーをさらに設けられている。
【００２０】
マウスモジュールの基本機能を実行するときに、固定位置座標キーがクリックされると、直接タッチモードに切り換えられ、固定位置座標のタッチモードが実行される。
【００２１】
前述した主な特徴に基づき、本考案のマウスモジュールは、タッチモードを実行するときにスクリーン画面上に対応して切り換えられたタッチ座標位置または固定位置座標もしくは移動位置座標が、スクリーン画面にてカーソルアイコンを表示するかまたはカーソルを有しない移動操作ができる。
【図面の簡単な説明】
【００２２】
【図１】本考案のタッチスクリーン機能を疑似操作できるマウスモジュールの実施例１の論理回路を示す図である。
【図２】本考案のタッチスクリーン機能を疑似操作できるマウスモジュールの実施例２の論理回路を示す図である。
【図３】本考案のタッチスクリーン機能を疑似操作できるマウスモジュールの第１操作方式を示すフロー図である。
【図４】本考案のタッチスクリーン機能を疑似操作できるマウスモジュールの第２操作方式を示すフロー図である。
【図５】本考案のタッチスクリーン機能を疑似操作できるマウスモジュールの第３操作方式を示すフロー図である。
【図６】本考案のタッチスクリーン機能を疑似操作できるマウスモジュールによる１本または複数本指によるフリック操作を示す図である。
【図７】本考案のタッチスクリーン機能を疑似操作できるマウスモジュールによる固定位置座標と、移動位置座標とを接近および引き離すときを示す図である。
【図８】本考案のタッチスクリーン機能を疑似操作できるマウスモジュールによる移動位置座標が固定位置座標を円の中心として回転動作を示す図である。
【考案を実施するための形態】
【００２３】
前述の目的に基づき、好ましい実施例と図面とを合わせて、本考案が採用する手段とその効果を以下のとおり説明する。
【実施例】
【００２４】
本考案のオペレーティングシステム（Ｏｐｅｒａｔｉｎｇ  Ｓｙｓｔｅｍ）はコンピュータのハードウェアとソフトウェアとを管理するプログラムであり、係るプログラムは格納および配置管理、リソース需給の優先順序の取り決め、接続された入出力装置の制御、ネットワークおよびファイル管理システムなどの基本タスクならび使用者とシステムとのインタフェースを提供する。
本考案のＯＳは例えば、マイクロソフト社のウィンドウズ（登録商標）ＯＳまたはアップル社のＭａｃ（登録商標）ＯＳあるいはＡｎｄｒｏｉｄ（登録商標）ＯＳなどのシステムのいずれかであっても良い。本考案においては、いずれも限定してない。
【００２５】
本考案のマウスモジュールはマウスに限らず、例えばタッチパネルキットなど、ポインター入力機能を有する装置を指す。
【００２６】
図１に示すように、本考案で提供するスクリーンタッチ機能をサポートされたコンピュータＯＳシステムで実行するマウスモジュールＭは、少なくともマウス本体１０と、マイクロプロセッサー単元（ＭＣＵ）１１と、疑似タッチトリガキーＭ３と、タッチ信号変換ユニット２０と、を備える。
このうち、発光ダイオード、光学エンジン、レンズ素子（図示しない）はマウス本体１０の移動（この部分はマウスモジュールの基本機能に当たるため、ここでの詳細説明を省略する。）を検出するための素子である。
【００２７】
このうち、マイクロプロセッサー単元（ＭＣＵ）１１をマウス本体１０に設けて、ＯＳのカーソル操作制御（この部分は同じくマウスモジュールの基本機能に当たるため、ここでの詳細説明を省略する。）に用いる。
【００２８】
このうち、疑似タッチトリガキーＭ３はマウス本体體１０に設けられ、マイクロプロセッサー単元（ＭＣＵ）１１と電気導通していて、マウスモジュールを起動して疑似スクリーンタッチモードを実行する。
【００２９】
このうち、タッチ信号変換ユニット２０はマウス本体１０に設けられ、マイクロプロセッサー単元（ＭＣＵ）１１と電気導通しており、マウスモジュールが疑似スクリーンタッチモードを実行するときに、マウスモジュールでクリックされたキー（すなわち、タッチキー）または作動信号を電子装置Ｐのスクリーン画面上のタッチ機能に置き換える。
【００３０】
図２の、本考案のもう一つの実施例を参照する。本実施例と前述の実施例の異なる点は、タッチ信号変換ユニット２０が電子装置Ｐに設けられ、マウス本体１０の疑似タッチトリガキーＭ３がトリガされることによって、疑似スクリーンタッチモードを実行し、マウス本体１０でクリックされたキーまたは作動信号を捕捉した上、電子装置Ｐのスクリーン画面のタッチ機能を実行する点である。このうち、タッチ信号変換ユニット２０は実体の素子またはソフトウェアに限らない。
【００３１】
引き続き、図１、２を参照する。マウスモジュールＭはマウス本体１０上の左キーＭ１と、右キーＭ２とをさらに含む。本考案は主に疑似タッチトリガキーＭ３がクリックされたとき、タッチ信号変換ユニット２０がマウスモジュールの一つまたは複数キーの信号を捕捉し、タッチ信号に置き換えてＯＳに入力することによって、１本または複数本指のタッチジェスチャーの疑似操作を実行する。
より詳細には図３の、本考案のタッチスクリーン機能を疑似操作できるマウスモジュールの第１操作方式を示すフロー図のように、本考案のマウスモジュールは以下の方法とステップによって、実行される。
【００３２】
ステップ１（Ｓ１）：マウスモジュールの疑似タッチトリガキーがクリックされたかを検出し、クリックされたときは、ステップ２（Ｓ２）に進み、クリックされていないときは、マウスモジュールの基本機能を維持する。
【００３３】
ステップ２（Ｓ２）：マウスモジュールが疑似スクリーンタッチモードを実行すると同時に、タッチ信号変換ユニットを起動させ、それぞれマウスモジュールのクリックまたは作動信号を捕捉した上、電子装置のスクリーン上の１本または複数本指、あるいはスクリーン画面の拡大、縮小または回転などのタッチ機能に置き換える。
【００３４】
ステップ３（Ｓ３）：マウスモジュールの疑似タッチトリガキーの状態が改変（再度クリックまたは解除）されたかを検出し、改変されたときは、マウスモジュールの基本機能を実行し、改変されていないときは、マウスモジュールは引き続き疑似スクリーンタッチモードを実行する。
【００３５】
引き続き図４、５を参照する。図４は本考案のタッチスクリーン機能を疑似操作できるマウスモジュールの第２操作方式を示すフロー図であり、図５は本考案のタッチスクリーン機能を疑似操作できるマウスモジュールの第３操作方式を示すフロー図である。この手段を実現するためのステップは、次の通りである。
【００３６】
ステップ１（Ｓ１）：マウスモジュールの疑似タッチトリガキーをクリック（１回のクリック）されたかを検出し、クリックされたときは、ステップ２（Ｓ２）に進み、クリックされていないときは、マウスモジュールの基本機能を維持する。
【００３７】
ステップ２（Ｓ２）：マウスモジュールの疑似タッチトリガキーが再度クリック（もう１回のクリック）されたかを検出し、クリックされていないときは、ステップ３（Ｓ３）に進み、クリックされているときは、マウスモジュールの基本機能を維持する。
【００３８】
ステップ３（Ｓ３）：タッチキーがクリックされたかを検出し、クリックされているときは、ステップ４（Ｓ４）に進み、クリックされていないときは、ステップ２（Ｓ２）に戻る。
【００３９】
ステップ４（Ｓ４）：指先による疑似スクリーンのクリック操作に切り換えてタッチ操作モードを実行し、すでにクリックされたタッチキーがすべて解除されているかを検出し、解除されているときは、対応の指先をすべて離した動作を疑似実行し、ステップ２（Ｓ２）へ戻る。
解除されていないときは、ステップ３（Ｓ３）に戻り、指先のタッチキーが解除されるまで引き続き検出を実行する。すでにクリックされた前述のタッチキーがすべて解除された状況でないときは、少なくとも従来のタッチキーが解除されていないかまたは一部解除されているか、あるいはさらにタッチキーがクリックされたかの状態の検出を実行する。
【００４０】
本実施例の技術手段は固定位置座標キーＭ４をさらに含んでいる。図１、２、７と８を併せて参照する。係る手段を実現するため、ステップ３（Ｓ３）に進み、マウスモジュールＭによってタッチモードが実行されている間は、固定位置座標キーＭ４をクリックされると固定位置座標タッチモードに切り換えられる。
より詳細には、タッチ信号変換ユニット２０によって、固定位置座標キーＭ４がクリックされた時点で、マウスモジュールＭが対応するスクリーン画面の位置座標にて、指先クリックのジェスチャを疑似実行すると同時に、指先クリックのジェスチャの信号を固定位置座標Ｐ１に置き換え、固定位置座標Ｐ１をマウスモジュールのカーソルに追随して移動させない。
その後に他のキーがクリックされたときに、マウスモジュールが対応するスクリーン画面上の座標位置は移動位置座標Ｐ２に置き換えられる。コンピュータＯＳは２つの座標位置間（Ｐ１／Ｐ２）より検出した接近または引き離しによって、画面の縮小または拡大効果を生成するか、あるいは移動位置座標Ｐ２が固定位置座標Ｐ１に対する角度と位置の変化量により、画面の回転角度を制御する。
【００４１】
図６の、本考案のタッチスクリーン機能を疑似操作できるマウスモジュールによる１本または複数本指によるフリック操作を示す図と、図５の、考案のタッチスクリーン機能を疑似操作できるマウスモジュール第３操作方式を示すフロー図とを合わせて参照する。この手段を実現するためのステップは、次のとおりである。
【００４２】
ステップ１（Ｓ１）：マウスモジュールの疑似タッチトリガキーがクリックされたかを検出し、クリックされたときは、ステップ２（Ｓ２）に進み、クリックされていないときは、マウスモジュールの基本機能を維持する。
【００４３】
ステップ２（Ｓ２）：指先をスクリーンにクリックするジェスチャを疑似しタッチ操作を実行する。
【００４４】
ステップ３（Ｓ３）：指先をスクリーンにクリックするジェスチャを疑似しタッチ操作を実行すると同時に、すでにクリックされたタッチキーがすべて解除されているかを検出し、解除されているときは、対応する指をすべて離した動作を疑似実行し、マウスモジュールの基本機能を維持する。解除されていないときは、ステップ２（Ｓ２）に戻って、継続して指先をスクリーンにクリックするジェスチャを疑似し、タッチ操作を実行する。
すでにクリックされた前述のタッチキーがすべて解除された状況でないときは、少なくとも従来のタッチキーが解除されていないかまたは一部解除されているか、あるいはさらにタッチキーがクリックされた状態かの検出を実行する。
【００４５】
本考案に説明された疑似タッチトリガキーＭ３または固定位置座標キーＭ４のクリックジェスチャは、ハードウェアの実体キーまたはソフトウェアによるトリガ操作のいずれかである。
【００４６】
本考案のマウスモジュールＭは、タッチモードを実行するとき、電子装置Ｐのスクリーン画面上に切り換えられた座標位置または固定位置座標Ｐ１もしくは移動位置座標Ｐ２が、スクリーン画面にてカーソルアイコンを表示するかまたはカーソルを有しない移動操作ができる。
【００４７】
以上、具体的な実施例を用いて本考案を詳細に説明したが、本考案は以上に取り上げた実施例に限られず、それらの構造に対する変更および修飾も本考案の請求範疇に含めるものとする。
【符号の説明】
【００４８】
Ｍ    マウスモジュール
Ｍ１  右キー
Ｍ２  左キー
Ｍ３  疑似タッチトリガキー
Ｍ４  固定位置座標キー
Ｐ１  固定位置座標
Ｐ２  移動位置座標
１０  マウス本体
１１  マイクロプロセッサー単元（ＭＣＵ）
２０  タッチ信号変換ユニット
Ｐ    電子装置
【図１】
0003183729.tif 000003
【図２】
0003183729.tif 000004
【図３】
0003183729.tif 000005
【図４】
0003183729.tif 000006
【図５】
0003183729.tif 000007
【図６】
0003183729.tif 000008
【図７】
0003183729.tif 000009
【図８】
0003183729.tif 000010